(57)【要約】【課題】筒状導出部の小型化を図る。【解決手段】筒状導出部２２は、第１半割体１０に形成した第１保持部２３と、第２半割体１３に形成した第２保持部２４とを合体させて構成される。第１保持部２３は、第１底壁２５の両側縁から一対の第１保持壁２６を立ち上げた形態であり、第２保持部２４は、第２底壁３０の両側縁から一対の第２保持壁３１を立ち上げた形態である。第１保持２３部と第２保持部２４を合体させた状態では、第２保持壁３１が第１保持壁２６の内面に沿って配されるので、両保持壁２６，３１の立ち上がり端面同士を突き合わせる形態のものに比べて、立ち上がり方向における両保持壁２６，３１の重なり寸法分だけ、筒状導出部２２を低背化できる。【選択図】図１
2009152003.tif 000002
【特許請求の範囲】
【請求項１】
一対の半割体を合体させることにより、略Ｌ字形に屈曲した筒状に構成されて、コネクタハウジングの後端面から引き出された複数本の電線の束を屈曲させた状態で包囲するようになっており、
一方の開口端部が、前記コネクタハウジングの後端部に取り付けられるようになっており、
反対側の開口端が、前記電線の束を外部へ導出させるための筒状導出部となっている電線カバーであって、
前記筒状導出部が、一方の前記半割体に形成した第１保持部と、他方の前記半割体に形成した第２保持部とを合体させて構成され、
前記第１保持部は、第１底壁の両側縁から一対の第１保持壁を立ち上げた形態であり、
前記第２保持部は、第２底壁の両側縁から一対の第２保持壁を立ち上げ、前記第１保持部と前記第２保持部を合体させた状態では、前記第２保持壁が前記第１保持壁の内面に沿って配される形態であることを特徴とする電線カバー。
【請求項２】
前記第１保持壁の内面には、前記電線の配索方向において前記第２保持壁とは非対応の位置から内側へ突出する規制リブが形成されていることを特徴とする請求項１記載の電線カバー。
【請求項３】
前記第２保持壁は、その立ち上がり端が前記一対の半割体が合体した状態において前記第１底壁と非接触となる形態とされていることを特徴とする請求項１又は請求項２記載の電線カバー。
【請求項４】
前記第１保持壁の外面には、ロック突起が形成され、
前記第２保持部には、前記第２底壁から前記第２保持壁の外面に沿い且つ前記第２保持壁との間に間隔を空けて延出した形態のロック片が形成されており、
前記一対の半割体を合体させた状態では、
前記ロック片が前記第１保持壁の外面に重なって前記ロック突起に係止することで、前記第１保持部と前記第２保持部とを合体状態にロックするとともに、
前記第２保持壁が、前記第１保持壁の内面に対して内側への変位を規制可能に当接又は対向するようになっていることを特徴とする請求項１ないし請求項３のいずれかに記載の電線カバー。
【請求項５】
前記一対の半割体が、前記筒状導出部の開口端とは反対側の端縁において互いにヒンジ部によって連結されているとともに、前記ヒンジ部を折り返し状に変形させることで合体されるようになっており、
前記第１保持部と前記第２保持部のうち少なくとも一方には、相手側の前記保持壁の外面又は内面に重なる形態のガイド片が突出形成されていることを特徴とする請求項１ないし請求項４のいずれかに記載の電線カバー。
【発明の詳細な説明】
【技術分野】
【０００１】
本発明は、電線カバーに関するものである。
【背景技術】
【０００２】
特許文献１には、端子金具が収容されるハウジングの後端部に取り付けられる電線カバーについて記載されている。この電線カバーは、略Ｌ字形をなす一対の半割体からなり、各半割体は、略Ｌ字形をなす基板の両側縁から一対の側壁を立ち上げた形態であり、この一対の半割体を合体させることによって略Ｌ字形に屈曲した筒状をなす電線カバーが構成される。
【０００３】
電線カバーの一方の開口端は、ハウジングに嵌合される筒状嵌合部となっており、反対側の開口端は筒状導出部となっている。ハウジングの後端面から引き出された電線の束は、電線カバー内部で屈曲され、筒状導出部から電線カバーの外へ導出させるようになっている。
【０００４】
電線カバーをハウジングに取り付ける際には、一対の半割体を分離させるとともに、いずれか一方の半割体をハウジングに嵌合し、その状態で、そのハウジングに取り付けた側の半割体に電線の束を沿わせ、その後、他方の半割体を合体させる、という手順で作業が行われる。
【特許文献１】特開２００４−１２７８１３公報
【発明の開示】
【発明が解決しようとする課題】
【０００５】
この種の電線カバーでは、一対の半割体を分離した状態において、その一対の半割体の両方共にハウジングと嵌合可能な形態にすることが考えられる。このような形態にすれば、電線カバーは略Ｌ字形に屈曲しているので、筒状導出部の開口方向、つまり電線の束の導出方向を、互いに逆向きとなる２つの方向から選択して設定することができるようになる。
【０００６】
ところで、電線の束を半割体に沿わせて配索するときには、電線の一部が、側壁を乗り越えて半割体の外へこぼれたり、はみ出したりすることが懸念されるため、その対策として、側壁の立ち上がり寸法を大きくする方法がある。
【０００７】
しかしながら、一対の半割体を合体させた状態では、側壁の立ち上がり端面同士が突き当たるようになっているため、一対の半割体の両方について側壁を高くしてしまうと、電線カバー全体として、両半割体の重なり方向における寸法が大きくなってしまう。  
特に、筒状導出部では、筒状導出部の開口の大きさが、電線の束の外径寸法に対して大きくなり過ぎるため、筒状導出部の開口における電線の束との隙間から電線カバー内に異物が侵入する等の不具合が生じる虞がある。  
本発明は上記のような事情に基づいて完成されたものであって、筒状導出部の小型化を図ることを目的とする。
【課題を解決するための手段】
【０００８】
上記の目的を達成するための手段として、請求項１の発明は、一対の半割体を合体させることにより、略Ｌ字形に屈曲した筒状に構成されて、コネクタハウジングの後端面から引き出された複数本の電線の束を屈曲させた状態で包囲するようになっており、一方の開口端部が、前記コネクタハウジングの後端部に取り付けられるようになっており、反対側の開口端が、前記電線の束を外部へ導出させるための筒状導出部となっている電線カバーであって、前記筒状導出部が、一方の前記半割体に形成した第１保持部と、他方の前記半割体に形成した第２保持部とを合体させて構成され、前記第１保持部は、第１底壁の両側縁から一対の第１保持壁を立ち上げた形態であり、前記第２保持部は、第２底壁の両側縁から一対の第２保持壁を立ち上げ、前記第１保持部と前記第２保持部を合体させた状態では、前記第２保持壁が前記第１保持壁の内面に沿って配される形態であるところに特徴を有する。
【０００９】
請求項２の発明は、請求項１に記載のものにおいて、前記第１保持壁の内面には、前記電線の配索方向において前記第２保持壁とは非対応の位置から内側へ突出する規制リブが形成されているところに特徴を有する。
【００１０】
請求項３の発明は、請求項１または請求項２に記載のものにおいて、前記第２保持壁は、その立ち上がり端が前記一対の半割体が合体した状態において前記第１底壁と非接触となる形態とされているところに特徴を有する。
【００１１】
請求項４の発明は、請求項１ないし請求項３のいずれかに記載のものにおいて、前記第１保持壁の外面には、ロック突起が形成され、前記第２保持部には、前記第２底壁から前記第２保持壁の外面に沿い且つ前記第２保持壁との間に間隔を空けて延出した形態のロック片が形成されており、前記一対の半割体を合体させた状態では、前記ロック片が前記第１保持壁の外面に重なって前記ロック突起に係止することで、前記第１保持部と前記第２保持部とを合体状態にロックするとともに、前記第２保持壁が、前記第１保持壁の内面に対して内側への変位を規制可能に当接又は対向するようになっているところに特徴を有する。
【００１２】
請求項５の発明は、請求項１ないし請求項４のいずれかに記載のものにおいて、前記一対の半割体が、前記筒状導出部の開口端とは反対側の端縁において互いにヒンジ部によって連結されているとともに、前記ヒンジ部を折り返し状に変形させることで合体されるようになっており、前記第１保持部と前記第２保持部のうち少なくとも一方には、相手側の前記保持壁の外面又は内面に重なる形態のガイド片が突出形成されているところに特徴を有する。
【発明の効果】
【００１３】
＜請求項１の発明＞
一対の半割体が合体していない状態で、第１保持部及び第２保持部の双方における電線の束のはみ出しを防止するためには、第１保持壁と第２保持壁の双方の立ち上がり寸法を大きくすればよい。この場合、一対の半割体を合体させた状態で、第１保持壁の立ち上がり端面と第２保持壁の立ち上がり端面とが突き当たるようになっているものでは、両半割体を合体させたときに筒状導出部が嵩高になってしまう。
【００１４】
その点、本発明では、一対の半割体を合体させた状態では、第２保持壁が第１保持壁の内面に沿って配されるようになっているので、両保持壁の立ち上がり端面同士を突き合わせる形態のものに比べると、立ち上がり方向における両保持壁の重なり寸法分だけ、筒状導出部を低背化できる。
【００１５】
＜請求項２の発明＞
第１保持部に配索した電線の束は、規制リブにより第１保持壁の内面から離間するように内側へ寄せられて幅狭にまとめられ、第１保持壁の内面に沿った第２保持壁の進入領域外へ退避した状態に位置決めされる。したがって、一対の半割体を合体させたときに、電線が、第２保持壁の立ち上がり端部と第１底壁との間に噛み込む虞はない。
【００１６】
＜請求項３の発明＞
一対の半割体を合体させた状態では、第２保持壁の立ち上がり端が第１底壁と非接触となるので、電線が、第２保持壁の立ち上がり端と第１底壁との間に噛み込む虞はない。
【００１７】
＜請求項４の発明＞
第１保持壁は、第２保持壁によって内側、即ちロック片から離間する方向へ変位することを規制されるので、ロック片とロック突起との係止機能の信頼性に優れている。
【００１８】
＜請求項５の発明＞
一対の半割体を合体させる過程では、一方の保持部に形成したガイド片が、他方の保持部の保持壁の外面又は内面に重なるようになっているので、第１保持部と第２保持部が保持壁の厚さ方向に位置ずれすることを防止できる。
【発明を実施するための最良の形態】
【００１９】
＜実施形態１＞
以下、本発明を具体化した実施形態１を図１乃至図８を参照して説明する。本実施形態の電線カバーＡは、横長のブロック状をなすコネクタハウジングＢの後端部に取り付けられるものであって、コネクタハウジングＢの後端面から引き出された複数本（本実施形態では３本であるが、本数はこれに限定されない）の電線Ｗを纏めて束にした状態で横向きに屈曲された状態で包囲するものである。尚、コネクタハウジングＢ内には、電線Ｗに接続された端子金具（図示せず）が収容されている。
【００２０】
電線カバーＡは、合成樹脂材料の単一部品からなり、第１と第２の一対の半割体１０，１３をヒンジ部１６で連結した形態である。第１半割体１０は、略Ｌ字形をなす第１基板１１の両側縁から一対の第１側壁１２を立ち上げた形態であり、第２半割体１３は、第１基板１１とは対称な略Ｌ字形をなす第２基板１４の両側縁から一対の第２側壁１５を立ち上げた形態である。両半割体１０，１３は、ヒンジ部１６を折り返し状に変形させながら合体され、全体として略Ｌ字形に屈曲した形態の筒状をなす電線カバーＡを構成する。
【００２１】
電線カバーＡの一方の開口端部は、コネクタハウジングＢの後端部に取り付けるための筒状取付部１７となっている。筒状取付部１７は、第１半割体１０の一方の端部に形成した第１取付部１８と、第２半割体１３の一方の端部に形成した第２取付部１９とを合体させて構成され、第１取付部１８と第２取付部１９の両方ともに、コネクタハウジングＢの後端部の下半分領域に対して嵌合可能であり、且つコネクタハウジングＢの後端部の上半分領域に対しても嵌合可能となっている。
【００２２】
したがって、電線カバーＡをコネクタハウジングＢに組み付ける手順としては、２通りが可能である。１つ目は、図２に示すように、第１半割体１０をコネクタハウジングＢの下半分領域に嵌合させておき、その状態で、電線Ｗの束を第１半割体１０に沿わせて配索し、その後、第２半割体１３を第１半割体１０に対して上から重ねるようにして合体させる方法である。２つ目の手順としては、第２半割体１３をコネクタハウジングＢの下半分領域に嵌合させておき、その状態で、電線Ｗの束を第２半割体１３に沿わせて配索し、その後、第１半割体１０を第２半割体１３に対して上から重ねるようにして合体させる方法がある。
【００２３】
前者の手順で組み付けた場合と、後者の手順で組み付けた場合とでは、電線カバーＡの屈曲の向き、即ち電線カバーＡ内において電線Ｗの束が転向される向きが左右逆向きとなる。つまり、前者の手順によれば、電線Ｗの束を図２及び図５における右方へ導出させることができ、後者の手順によれば、電線Ｗの束を図２における左方へ導出させることができる。
【００２４】
ヒンジ部１６は、筒状取付部１７を構成する第１取付部１８の一方の側縁と第２取付部１９の一方の側縁とを連結するような形態となっている。また、第１取付部１８におけるヒンジ部１６と反対外周の側縁には、係止突起２０が形成され、第２取付部１９におけるヒンジ部１６とは反対側の側縁には、係止片２１が形成されている。両半割体１０，１３を合体させた状態では、係止突起２０と係止片２１との係止作用により、両半割体１０，１３（筒状取付部１７）が合体状態にロックされる。
【００２５】
また、両半割体１０，１３を合体させた状態では、第１側壁１２の立ち上がり端面のうち後述する第１保持壁２６を除く広い領域と、第２側壁１５の立ち上がり端面のうち後述する第２保持壁３１を除く広い領域とが突き合わされた状態となることで、電線カバーＡが筒形状に保たれるようになっている。また、第１側壁１２と第２側壁１５のうち互いに立ち上がり端面同士を突き当てる領域については、その基板１１，１４からの立ち上がり寸法が、互いに同じ寸法となっている。
【００２６】
電線カバーＡにおけるヒンジ部１６（筒状取付部１７）とは反対側の開口端部は、筒状取付部１７の開口方向に対して略直角方向に開口する筒状導出部２２となっている。筒状導出部２２は、第１半割体１０に形成した第１保持部２３と、第２半割体１３に形成した第２保持部２４とを合体させた構成される。電線カバーＡをコネクタハウジングＢに組み付ける際には、第１保持部２３と第２保持部２４のうちいずれか一方の保持部２３または２４内に、電線Ｗの束を収まるようにセットする。
【００２７】
第１保持部２３は、第１基板１１の端部を構成する第１底壁２５と、第１底壁２５の両側縁から立ち上げられて第１側壁１２を構成する一対の第１保持壁２６とを備えて構成される。図３に示すように、第１保持壁２６の立ち上がり端の高さは、第１側壁１２の立ち上がり端よりも高く、電線Ｗの束を第１底壁２５に載置した状態において最も上に位置する電線Ｗの下端よりも少し上方の位置となっている。つまり、最も上に位置する電線Ｗが第１保持壁２６側へ位置ずれしたときには、その電線Ｗが第１保持壁２６に当接することによって、第１保持部２３（第１保持壁２６）の外側へはみ出さないようになっている。また、第１保持壁２６の厚さは、第１底壁２５の厚さよりも少し小さい寸法となっている。
【００２８】
一対の第１保持壁２６の内面には、夫々、電線Ｗの配索方向に間隔を空けた２位置から内側へ突出する一対ずつの規制リブ２７が形成されている。規制リブ２７は、第１保持壁２６の第１底壁２５から立ち上がり方向と平行に細長くのび、その形成範囲は、第１底壁２５の上面から第１保持壁２６の立ち上がり端に至る範囲で連続している。また、対をなす一対の規制リブ２７は、電線Ｗの配索方向における第１保持壁２６の両端位置に配置され、一方の規制リブ２７は、筒状導出部２２の開口端縁（第１保持壁２６の端縁）に沿うように配されている。
【００２９】
また、一対の第１保持壁２６の外面には、夫々、電線Ｗの配索方向に間隔を空けた一対ずつのガイドリブ２８が形成されている。ガイドリブ２８は、規制リブ２７と平行に延び、その形成領域は、第１保持壁２６の基端（第１底壁２５に連なる位置）と立ち上がり端に亘る範囲となっている。対をなすガイドリブ２８のうち一方のガイドリブ２８は、電線Ｗの配索方向における第１保持壁２６のほぼ中央位置に配置され、他方のガイドリブ２８は、筒状導出部２２の開口端縁（第１保持壁２６の端縁）に沿うように配されている。さらに、第１保持壁２６の外面には、対をなすガイドリブ２８のほぼ中間位置において突出するロック突起２９が形成されている。
【００３０】
第２保持部２４は、第２基板１４の端部を構成する第２底壁３０と、第２底壁３０の両側縁から立ち上げられて第２側壁１５を構成する一対の第２保持壁３１とを備えて構成される。図４に示すように、第２保持壁３１の立ち上がり端の高さは、第２側壁１５の立ち上がり端よりも高く、電線Ｗの束を第２底壁３０に載置した状態において最も上に位置する電線Ｗの下端よりも少し上方の位置となっている。つまり、最も上に位置する電線Ｗが第２保持壁３１側へ位置ずれしたときには、その電線Ｗが第２保持壁３１に当接することによって、第２保持部２３（第２保持壁３１）の外側へはみ出さないようになっている。また、第２底壁３０からの第２保持壁３１の高さ（立ち上がり寸法）は、第１底壁２５からの第１保持壁２６の高さ（立ち上がり寸法）と同じ寸法とされている。
【００３１】
また、第２保持壁３１のうち第２底壁３０に連なる略下半分領域は、厚肉壁３２となっていて、この厚肉壁３２の厚さは、第２底壁３０の厚さと同じ寸法となっている。一方、第２保持壁３１のうち立ち上がり端側の略上半分領域は、薄肉壁３３となっていて、この薄肉壁３３の厚さは、厚肉壁３２の厚さよりも小さい寸法となっている。厚肉壁３２の内面と薄肉壁３３の内面とは面一状に連なっているが、薄肉壁３３の外面は、厚肉壁３２の内面に対して段差状に凹んだ形態となっている。
【００３２】
薄肉壁３３の下端、即ち厚肉壁３２の上端の高さ（第２底壁３０からの立ち上がり寸法）は、第２側壁１５の立ち上がり端よりも低い位置となっており、薄肉壁３３の下端と第２側壁１５の立ち上がり端との高低差寸法は、上記の第１側壁１２の立ち上がり端と第１保持壁２６の立ち上がり端との高低差寸法と同じ寸法となっている。また、第２側壁１５の立ち上がり端と薄肉壁３３（第２保持壁３１）の立ち上がり端との高低差寸法は、薄肉壁３３の下端と第２側壁１５の立ち上がり端との高低差寸法とほぼ同じ寸法とされている。さらに、薄肉壁３３の厚肉壁３２からの高さ（立ち上がり）寸法は、第１保持壁２６の高さ（立ち上がり）寸法よりも小さく設定されている。また、電線Ｗの配索方向における薄肉壁３３の形成領域は、第２保持部２４（厚肉壁３２）の形成領域よりも少し小さい範囲、即ち厚肉壁３２の両端部を除いた範囲となっている。
【００３３】
また、第２保持部２４には、両第２底壁３０の両側縁の外面から上方へ片持ち状に立ち上がった形態であって、ロック孔３５を有する一対のロック片３４が形成されている。ロック片３４は、第２保持壁３１の外面に沿い、且つ第２保持壁３１の外面に対して間隔を空けて対向する形態であり、第２保持壁３１から離間する方向へ弾性撓みし得るようになっている。さらに、第２保持部２４には、ロック片３４と同じく、両第２底壁３０の両側縁の外面から上方へ片持ち状に立ち上がった形態であって、第２保持壁３１の外面に沿い、且つ第２保持壁３１の外面に対して間隔を空けて対向する板状のガイド片３６が形成されている。ロック片３４とガイド片３６は、電線Ｗの配索方向に並び、ロック片３４は筒状導出部２２の開口端側に位置している。
【００３４】
次に、本実施形態の作用を説明する。  
電線カバーＡをコネクタハウジングＢに組み付ける工程において、図２に示すように、電線Ｗの束を第１保持部２３に配索し、その後、第２半割体１３を第１半割体１０に被せるように合体させると、合体の過程で、ロック片３４よりもヒンジ部１６に近い一対のガイド片３６が、第２保持壁３１の外面に対して摺接するように嵌合し、この嵌合作用により、第１保持部２３と第２保持部２４が電線Ｗの配索方向と交差する方向（図２における上下方向）において位置決めされる。また、一対の第２保持壁３１が、一対の第１保持壁２６の間に進入し、対をなす規制リブ２７の間に嵌入しつつ第１保持壁２６の内面に摺接する。このとき、電線Ｗの束は、図３に示すように、規制リブ２７によって第１保持壁２６の内面よりも内側へ幅寄せされているので、第２保持壁３１が電線Ｗと干渉する虞はない。また、ロック片３４がロック突起２９と干渉して外側へ弾性撓みする。
【００３５】
尚、第２半割体１３をコネクタハウジングＢに先に組み付けた状態で、第１半割体１０を第２半割体１３に対して被せるように合体させる場合も、ガイド片３６による位置決め機能、及びロック片３４とロック突起２９とによるロック機能は、上記と同様に発揮される。また、合体するときに、第１保持壁２６は第２保持壁３１の外面に沿って嵌合されるので、第２保持部２４内に配索されている電線Ｗに対して第１保持壁２６が干渉することはない。
【００３６】
両半割体１０，１３が正規の合体状態に至ると、ロック片３４が弾性復帰してそのロック孔３５をロック突起２９に係止させ、これにより、両半割体１０，１３（第１保持部２３と第２保持部２４）が合体状態にロックされる。また、電線カバーＡ内で屈曲して配索された電線Ｗの束は、筒状導出部２２から電線カバーＡの外部へ導出される。
【００３７】
同じく両半割体１０，１３が合体した状態では、図１に示すように、第２保持壁３１のうち薄肉壁３３が、第１保持壁２６の内面に当接又は接近して対向するので、第１保持壁２６が内側へ変位する虞がなく、第１保持壁２６が内側へ変位することに起因してロック突起２９とロック孔３５との係止代が減少する、という虞はない。
【００３８】
さらに、第２保持壁３１の立ち上がり端（図１における下端）は、第１底壁２５の上面に対して上下方向（合体方向）において間隔を空けている。また、薄肉壁３３の外面と厚肉壁３２の外面との境界における段差部が、第１保持壁２６の上端（立ち上がり端）に突き当たるので、それ以上の両保持部２３，２４の接近が規制され、これにより、筒状導出部２２が筒形状に保たれる。
【００３９】
上述のように本実施形態においては、一対の半割体１０，１３を合体させない状態で、第１保持部２３及び第２保持部２４の双方における電線Ｗの束のはみ出しを防止するために、第１保持壁２６と第２保持壁３１の双方の立ち上がり寸法を大きくしている。この場合、一対の半割体１０，１３を合体させた状態で、第１保持壁２６の立ち上がり端面と第２保持壁３１の立ち上がり端面とが突き合たるようになっていると、両半割体１０，１３を合体させたときに筒状導出部２２が嵩高になってしまう。
【００４０】
その点、本実施形態では、一対の半割体１０，１３を合体させた状態では、第２保持壁３１が第１保持壁２６の内面に沿って配されるようになっているので、両保持壁２６，３１の立ち上がり端面同士を突き合わせる形態のものに比べると、立ち上がり方向（図１における上下方向であって、第１保持部２３と第２保持部２４の合体方向とほぼ平行な方向）における両保持壁２６，３１の重なり寸法分だけ、筒状導出部２２が低背化されている。
【００４１】
また、第１保持壁２６の内面には、電線Ｗの配索方向において第２保持壁３１とは非対応の位置から内側へ突出する規制リブ２７を形成しているので、第１保持部２３に配索した電線Ｗの束は、規制リブ２７により第１保持壁２６の内面から離間するように内側へ寄せられて幅狭にまとめられ、第１保持壁２６の内面に沿った第２保持壁３１の進入領域外へ退避した状態に位置決めされている。したがって、一対の半割体１０，１３を合体させたときに、電線Ｗが、第２保持壁３１の立ち上がり端部と第１底壁２５との間に噛み込む虞はない。
【００４２】
また、一対の半割体１０，１３を合体させた状態では、第２保持壁３１の立ち上がり端が第１底壁２５と非接触となるので、電線Ｗが、第２保持壁３１の立ち上がり端と第１底壁２５との間に噛み込む虞はない。
【００４３】
＜他の実施形態＞
本発明は上記記述及び図面によって説明した実施形態に限定されるものではなく、例えば次のような実施態様も本発明の技術的範囲に含まれる。  
（１）第１保持壁の内面に規制リブを形成しない形態であってもよい。  
（２）第１保持壁と第１側壁との高低差と、第２保持壁と第２側壁との高低差とは、同じ寸法に限らず、互いに異なる寸法であってもよい。  
（３）第１保持壁の厚さは、第１底壁と同じ寸法であってもよく、第１底壁より大きい寸法であってもよい。  
（４）第２保持壁の厚肉壁の厚さは、第２底壁より大きい寸法であってもよく、第２底壁よりも小さい寸法であってもよい。  
（５）第２保持壁の薄肉壁の厚さは、第２底壁と同じ寸法であってもよく、第２底壁よりも大きい寸法であってもよい。  
（６）第１保持部と第２保持部を合体状態にロックするロック手段としては、第１保持壁の外面のロック突起と、第２保持壁の外面のロック凹部とを係止させる構造としてもよい。  
（７）第２保持壁の厚さは、立ち上がり方向において一定の寸法であってもよい。  
（８）一対の半割体を合体させた状態において、第２保持壁の立ち上がり端が第１底壁に当接する形態としてもよい。  
（９）一対の半割体は、ヒンジ部で連結された一体部品である場合に限らず、互いに別体の部品であってもよい。  
（１０）ガイド片は、相手側の保持壁の外面ではなく、内面に重なる形態であってもよい。  
（１１）ガイド片は、第１保持部のみに形成してもよく、第１保持部と第２保持部の双方に形成してもよい。  
（１２）第２底壁からの第２保持壁の高さ（立ち上がり寸法）と、第１底壁からの第１保持壁の高さ（立ち上がり寸法）とは、互いに異なる寸法であってもよい。
【図面の簡単な説明】
【００４４】
【図１】実施形態１において一対の半割体を合体した状態における筒状導出部をあらわす断面図
【図２】一対の半割体を開いた状態において第１保持部に電線の束を配索した状態をあらわす平面図
【図３】一対の半割体を開いた状態において第１保持部に電線の束を配索した状態をあらわす断面図
【図４】一対の半割体を開いた状態において第１保持部に電線の束を配索した状態をあらわす断面図
【図５】一対の半割体を合体させてコネクタハウジングに取り付けた状態をあらわす平面図
【図６】一対の半割体を開いた状態をあらわす側面図
【図７】一対の半割体を開いた状態において、図６とは反対側から見た側面図
【図８】一対の半割体を開いた状態をあらわす斜視図
【符号の説明】
【００４５】
Ａ…電線カバー
Ｂ…コネクタハウジング
Ｗ…電線
１０…第１半割体
１３…第２半割体
１６…ヒンジ部
２２…筒状導出部
２３…第１保持部
２４…第２保持部
２５…第１底壁
２６…第１保持壁
２７…規制リブ
２９…ロック突起
３０…第２底壁
３１…第２保持壁
３４…ロック片
３６…ガイド片
【図１】
2009152003.tif 000003
【図２】
2009152003.tif 000004
【図３】
2009152003.tif 000005
【図４】
2009152003.tif 000006
【図５】
2009152003.tif 000007
【図６】
2009152003.tif 000008
【図７】
2009152003.tif 000009
【図８】
2009152003.tif 000010